(57)【要約】      （修正有）【課題】鉄骨枠と木枠を用いて構成されたコンテナハウスであって、強度の優れたコンテナハウスを提供し、また、鉄骨枠と木枠を用いて短期間に簡単に組み立てられ、組立後に移動可能なコンテナハウスを提供する。【解決手段】鉄骨枠２と、該鉄骨枠に取付けられた木枠８を備えたコンテナハウス１であって、前記鉄骨枠は、少なくともコンテナハウス底部の隅部に立設された４本の柱材４を備え、前記木枠は、少なくとも前記４本の柱材の各々に、該柱材の外側面に沿って取付けられた第１の木枠材８ａを備えていることを特徴とする。【選択図】図２
0003214222.tif 000002
【実用新案登録請求の範囲】
【請求項１】
鉄骨枠と、該鉄骨枠に取付けられた木枠を備えたコンテナハウスであって、
前記鉄骨枠は、少なくともコンテナハウス底部の隅部に立設された４本の柱材を備え、
前記木枠は、少なくとも前記４本の柱材の各々に、該柱材の外側面に沿って取付けられた第１の木枠材を備えている
ことを特徴とするコンテナハウス。
【請求項２】
前記鉄骨枠は、さらに、梁材及び桁材を備え、
該梁材及び桁材の外側面に沿って第２の木枠材が取り付けられている
ことを特徴とする請求項１に記載のコンテナハウス。
【請求項３】
前記鉄骨枠は、さらに、前記柱材間に配設された第１の補強鉄骨枠材、又は、前記梁材及び桁材の間に配設された第２の補強鉄骨枠材を備えている
ことを特徴とする請求項２に記載のコンテナハウス。
【考案の詳細な説明】
【技術分野】
【０００１】
本考案は、コンテナハウスに関し、特に、鉄骨枠と木枠を用いたコンテナハウスに関するものである。
【背景技術】
【０００２】
近年、低価格、完成までの短工期、内外装の多様なバリエーション、移動可能等のメリットから、簡易的な事務所や店舗としてコンテナハウスが利用されている。従来のコンテナハウスは、使用済みの貨物輸送用のコンテナを改造したものが多く、このようなコンテナハウスは、低価格ではあるものの、元々金属製のパネルを直方体状に組み合わせただけの構造物のパネルに窓やドア部を開口するので、人が事務所や店舗として利用する上で、強度については不安が予想される。
【０００３】
以下、従来提案されているコンテナハウスに関する技術を示す。
特許文献１には、「生活に必要な部材を効率良く設置したコンテナ簡易ハウスを提供する」（特許文献１の段落「０００５」参照。）ことを目的とした「略直方体形状の輸送用コンテナ本体と、この輸送用コンテナ本体の幅の狭い側壁側に設けられたドアと、このドアが設けられた側壁と対向する側壁側に設けられ並設された浴槽及びトイレと、前記ドアが設けられた側壁と対向する側壁側に設けられ前記並設された浴槽及びトイレと仕切り壁を介して配設された流し台と、前記輸送用コンテナ本体の幅の広い側の側壁側に沿って設けられたベットと、前記輸送用コンテナ本体の幅の広い側の側壁側に設けられた窓とを備えたことを特徴とするコンテナ簡易ハウス。」（特許文献１の「請求項１」参照。）が記載されている。
【０００４】
また、特許文献２には、「側板の内側に内壁板を直接取付けるので、断熱性に乏しく冷暖房効率が低く、その上外観はコンテナそのものであって見栄えが悪い、と言う問題点」（特許文献２の段落「０００４」参照。）を解決するために、「貨物輸送用の金属製コンテナの側板外側に留付け金具を介して外壁板を取付け、該側板内側には断熱材を介して内壁材を取付け、天板内側には断熱材を介して天井板を取付けたことを特徴とするコンテナハウス」（特許文献２の「請求項１」参照。）が記載されている。
【先行技術文献】
【特許文献】
【０００５】
【特許文献１】実開平０６−０６７７０１号公報公報
【特許文献２】特開平１０−２３８１４７号公報
【考案の概要】
【考案が解決しようとする課題】
【０００６】
特許文献１に記載の「コンテナ簡易ハウス」は、「本考案の一実施例のコンテナ簡易ハウスを図面を参照して説明すると、図１乃至図３において、Ａは、コンテナ簡易ハウスで、コンテナ簡易ハウスＡは、例えば、４ｔクレーン付きトラックに乗り移動が自在なもので、略直方体形状の輸送用コンテナ本体１内にベット２、クローゼット３、流し台４、浴槽５、トイレ６、空気調和機（エアコン）７等を配置したものである」（段落「００１１」、図１〜図３等参照。）、「即ち、輸送用コンテナ本体１の幅の狭い側壁1a側に開閉自在にドア８が設けられ、該ドア８の近傍には、下駄箱９、クローゼット３が設置されている」（段落「００１２」、図１、図２等参照。）、「又、窓12は、輸送用コンテナ本体１の幅の広い側の側壁1c、1d（側壁1c又は側壁1dのいずれか）に開閉自在に設けられている」（段落「００１８」、図１〜図３参照。）と記載されているように、従来の「輸送用コンテナハウス」に、「生活に必要な部材」を配置し、「輸送用コンテナ」の側壁に「窓」や「ドア」を設置するための開口部を設けているものの、「コンテナ簡易ハウス」の強度については何ら言及されていない。
【０００７】
特許文献２には、「図１に示すのは貨物輸送用の金属製（スチール製）のコンテナ(1) であり、該コンテナ(1) は四方に柱(2) を立設し、該側面には多数の凹凸が形成されている側板(3) が張設され、上面には多数の凹凸が形成されている天板(4) が張設され、後面にはドア(5) が設けられている。該コンテナ(1) の側板(3) の所定箇所には窓孔(6) が開設され、該窓孔(6) には窓枠(7) が嵌着され、該窓枠(7) には一対のガラス窓(8,8) が摺動可能に嵌着されている。更に該コンテナ側板(3) の外側には外壁板(9) が張設されている」（段落「０００６」、「０００７」、図１、図２等参照。）、「図１２はコンテナ(1) の前後面および側面構造を示すものであり、コンテナ(1) の前後面および側面の外側には上記のようにして外壁板(9) および隅角部材(9A)が留付け金具(10,11) によって取付けられ、一方側面の内側には胴縁材(34)を介して内壁板(35)が取付けられ、側板(3) と内壁板(35)との間隙には断熱材(36)が充填されている」（段落「００１３」、図１２参照。）と記載されているが、これらの記載は、「断熱防音効果」、「冷暖房効率」に関して記載されているものであり、「柱(2)」、「外壁板(9)」、「内壁板(35)」、「側板(3)」が強度に関してどのような効果を奏するのか、何ら記載されていない。仮に、これらの構造で一定の強度を備えているとしても、構造が複雑である。
【０００８】
そこで、本考案は、鉄骨枠と木枠を用いて構成されたコンテナハウスであって、強度の優れたコンテナハウスを提供することを目的とする。
【０００９】
また、本考案は、鉄骨枠と木枠を用いて短期間に簡単に組み立てられ、組立後に移動可能なコンテナハウスを提供することを目的とする。
【課題を解決するための手段】
【００１０】
上記の目的を達成するため、請求項１の考案は、鉄骨枠と、該鉄骨枠に取付けられた木枠を備えたコンテナハウスであって、前記鉄骨枠は、少なくともコンテナハウス底部の隅部に立設された４本の柱材を備え、前記木枠は、少なくとも前記４本の柱材の各々に、該柱材の外側面に沿って取付けられた第１の木枠材を備えていることを特徴とする。
【００１１】
また、請求項２の考案は、請求項１に記載のコンテナハウスであって、前記鉄骨枠は、さらに、梁材及び桁材を備え、該梁材及び桁材の外側面に沿って第２の木枠材が取り付けられていることを特徴とする。
【００１２】
また、請求項３の考案は、請求項２に記載のコンテナハウスであって、前記鉄骨枠は、さらに、前記柱材間に配設された第１の補強鉄骨枠材、又は、前記梁材及び桁材の間に配設された第２の補強鉄骨枠材を備えていることを特徴とする。
【考案の効果】
【００１３】
本考案のコンテナハウスによれば、強度に優れているので、事務所、店舗、簡易住居等として人が使用しても安全であるという顕著な効果を奏することができる。
【００１４】
また、本考案のコンテナハウスによれば、鉄骨枠と木枠により短期間に簡単に組み立てられるので、製造費用が安価であるという顕著な効果を奏することができる。
【００１５】
また、本考案のコンテナハウスによれば、強度に関係なく適宜加工された木製パネルを取り付けることができるので、内外装の多様なバリエーションが可能であり、また、組立後の移動が可能であるので、ユーザーにとって非常に使い勝手がよいという顕著な効果を奏することができる。
【図面の簡単な説明】
【００１６】
【図１】本考案の一実施形態におけるコンテナハウスの鉄骨枠取付け後の外観斜視図である。
【図２】本考案の一実施形態におけるコンテナハウスの木枠取付け後の外観斜視図である。
【図３】本考案の一実施形態におけるコンテナハウスの鉄骨枠と木枠の接合状態を説明する平面図である。
【図４】本考案の一実施形態におけるコンテナハウスの完成形の外観斜視図である。
【００１７】
以下、好適な実施形態を用いて本考案をさらに具体的に説明する。但し、下記の実施形態は本考案を具現化した例に過ぎず、本考案はこれに限定されるものではない。
【００１８】
（実施形態）
本考案の一実施形態におけるにコンテナハウス１について、図１〜図４を参照しながら説明する。なお、説明の便宜上、本明細書で示す上，下，左，右，前，後の方向は、図中で示す矢印の上，下，左，右，前，後の方向と対応するものとする。
【００１９】
本考案のコンテナハウスは、主として角形鋼管で形成された複数の鉄骨枠材で構成された鉄骨枠と、この複数の鉄骨枠材のうち、まず、柱となる鉄骨枠材に、鉄骨枠材の外側面に沿って板状の木枠材を固定して取付ける、つまり、柱を鉄骨枠材と木枠材の二重構造にすることによって、従来技術に比べ格段の強度を備えている。
図１は、本考案のコンテナハウス１の鉄骨枠２を取り付けた後の外観斜視図である。本考案のコンテナハウス１は、基本構成として直方体形状の外観をなし、矩形状の底部３と、底部３の四隅部に立設された４本の柱材４と、柱材４間に配設された梁材５ａ及び桁材５ｂを備えている。柱材４、梁材５ａ、桁材５ｂは、角形鋼管で形成されている。
【００２０】
底部３は、コンテナハウス１の前端及び後端に配設された２本の基礎鉄骨材３ａ上に、４本の底部鉄骨枠材３ｂを矩形状の枠になるように配設し、４本の底部鉄骨枠材３ｂの上面に矩形状の底面３ｃを配設して構成される。４本の底部鉄骨枠材３ｂ間には、複数の鉄骨枠材（不図示）が配設されている。基礎鉄骨材３ａは、溝形鋼で形成され、底部鉄骨枠材３ｂは、角形鋼管で形成され、底面３ｃは、所定の部分を適宜加工された鉄板で形成されている。なお、本実施形態において、鉄骨枠を構成する鉄骨部材同士の連結は直接溶接で行われている。
【００２１】
底部３の四隅には、底部鉄骨枠材３ｂ上に４本の柱材４が溶接により立設されている。４本の柱材４の頂部には、梁材５ａ、及び、桁材５ｂが連結されている。また、図示するように、必要に応じて、柱材４と柱材４との間には、補強用に複数の鉄骨枠材６が配設される。鉄骨枠材６は、窓やドアの支持用としても用いられる。鉄骨枠材６を配設するときには、後の工程で取付ける窓やドアの取付けを考慮してサイズ、配設間隔等が設定される。また、梁材５ａは、図示しているような水平梁に限らず、合掌梁を用いてもよい。梁材５ａと梁材５ａとの間、又は、桁材５ｂと桁材５ｂとの間には、複数の補強用の鉄骨枠材（不図示）が配設されている。
以上のようにして、コンテナハウス１の鉄骨枠２が構成される。
【００２２】
次に、本実施形態のコンテナハウス１の木枠８について説明する。図２は、図１で説明した鉄骨枠２に、木枠８を取り付けた状態を示す外観斜視図である。図３は、鉄骨枠２と木枠８の接合状態を示す図である。図示のように、鉄骨枠２のうち、４本の柱材４の各々には、柱材４の外側面に沿って、上下方向に板状の第１の木枠材８ａが固定して取り付けられている。第１の木枠材８ａの長さは、柱材４と略等長に形成され、第１の木枠材８ａの幅は、柱材４の外径よりも拡幅して形成され、柱材４の内側端面ｅｆ１と第１の木枠材８ａの内側端面ｅｆ２とが揃うように、第１の木枠材８ａが柱材４にビス１０で固定されている。このように、コンテナハウス１の支柱となる４本の柱材４の各々に第１の木枠材８ａを取り付け、柱部分を鉄骨材と木材の二重構造にすることで、従来技術に比べ、格段の強度を有することがきできる。なお、柱材４の外径と第１の木枠材８ａの幅とのサイズを異ならせているのは、仕上げ材としての木製パネルを取り付けるときの寸法調整であるので、柱材４の外径サイズと第１の木枠材８ａの幅サイズは適宜調整されてよい。
【００２３】
本実施形態では、図２に示すように、梁材５ａ、及び、桁材５ｂの外側面に沿って、横方向に板状の第２の木枠材９ａ，９ｂを取り付けることで、さらに強度を向上させている。第１の木枠材８ａと同様に、第２の木枠材９ａ，９ｂの長さは、それぞれ、梁材５ａの長さ、桁材５ｂの長さと略等長に形成され、第２の木枠材９ａが梁材５ａに、また、第２の木枠材９ｂが桁材５ｂに、それぞれビス１０で固定されている。第２の木枠材９ａ，９ｂの幅は、梁材５ａ，桁材５ｂの外径に対して、木製パネルの取付等を考慮して適宜調整される。
以上のようにして、コンテナハウス１において、鉄骨枠２に木枠８が取り付けられる。
【００２４】
図４は、本実施形態のコンテナハウス１の完成形の斜視図である。完成形では、底部３上に構成された鉄骨枠２に木枠８が取付けられた後、木製パネルが１２が取り付けられている。コンテナハウス１の頂部には、梁材５ａ、桁材５ｂ、及び、梁材５ａと桁材５ｂとの間に配設された複数の鉄骨枠材（前述。不図示。）の上に直接、あるいは、支持枠材等を介して、屋根としてのトタン波板１１が、トタン釘等の固定手段（不図示）により、取り付けられている。なお、トタン波板１１は、梁材５ａと桁材５ｂの内側に取り付けてもよいし、支持枠材等には防水手段を含んでもよい。コンテナハウス１の強度は、鉄骨枠２と木枠８で充分に確保されているので、木製パネル１２は、特段強度を気にすることなく、適宜加工して取付けることができ、ユーザーにとって非常に使いやすい。図示するように、必要に応じて、木製パネル１２に窓部１３やドア部１４を設けることができる。なお、木製パネル１２に代えて、木製の壁板を用いてもよい。また、コンテナハウス１の内側には、仕上げ材としての内壁を設けてもよい。
【符号の説明】
【００２５】
１      コンテナハウス
２      鉄骨枠
３      底部
３ａ    基礎鉄骨材
３ｂ    底部鉄骨枠材
３ｃ    底面
４      柱材
５ａ    梁材
５ｂ    桁材
６      補強用の鉄骨枠材
８      木枠
８ａ    第１の木枠材
９ａ，９ｂ  第２の木枠材
１０    ビス
１１    トタン波板
１２    木製パネル
１３    窓部
１４    ドア部
【図１】
0003214222.tif 000003
【図２】
0003214222.tif 000004
【図３】
0003214222.tif 000005
【図４】
0003214222.tif 000006